(57)【要約】【課題】カードを見やすく、かつより確実に保持することができるカードホルダ付コンテナを提供すること。【解決手段】側板３の外側面にカードＣを保持するカードホルダ２０に、側板３との間でカードＣの下縁の両隅をそれぞれ保持する２つの保持部と、同じく側板３との間でカードＣの上縁および該上縁の両隅を挟む挟持部と、挟持部を側板３に押し付ける付勢部とを備えるカードホルダ付コンテナを採用する。【選択図】    図３
2005047525.tif 000002
【特許請求の範囲】
【請求項１】
側板の外側面に沿わせて矩形のカードを保持するカードホルダを有するカードホルダ付コンテナであって、
前記カードホルダに、前記側板との間で前記カードの下縁の両隅をそれぞれ保持する２つの保持部と、同じく前記側板との間で前記カードの上縁および該上縁の両隅を挟む挟持部と、前記挟持部を前記側板に押し付ける付勢部とを備えることを特徴とするカードホルダ付コンテナ。
【請求項２】
前記側板に、該側板と前記カードホルダとの間に前記カードを下向きに差し込んだり、前記側板と前記カードホルダとの間から前記カードを上向きに抜き出したりするためのガイド部が設けられている請求項１記載のカードホルダ付コンテナ。
【請求項３】
前記カードホルダが、２本の縦枠と該２本の縦枠の上端どうしを繋ぐように一体成形された１本の横枠とからなり、
前記２本の縦枠の下部がそれぞれ前記保持部をなし、前記横枠が前記挟持部をなし、前記２本の縦枠の中間部が前記付勢部をなす請求項１または２記載のカードホルダ付コンテナ。
【請求項４】
前記横枠に、前記カードの上縁および該上縁の両隅に接する平面部と、前記平面部に連続し、かつ該平面部から上方に向かうにつれて前記側板から離間する方向に傾斜する斜面部とが形成され、
前記平面部と前記斜面部との間の稜線が、前記横枠の中央付近で最も高く、前記２本の縦枠の上端付近で最も低くなる円弧を描くように形成されている請求項３記載のカードホルダ付コンテナ。
【発明の詳細な説明】
【０００１】
【発明の属する技術分野】
本発明は、収容された物品に関する情報を記載したカードを保持することができるカードホルダ付コンテナに関する。
【０００２】
【従来の技術】
従来のカードホルダ付コンテナとしては、側壁外面に取付けられたカードホルダの左右両端からわずかに離れたそれぞれの位置に上部が上方に向けて互いに拡開するとともに下部に下方が垂下したカード案内用突条を設けたものがある（下記の特許文献１）。このカードホルダ付コンテナ（当該文献ではカードホルダー付き容器）においては、容器の側壁外面、カード案内用突条及びカードホルダの水平枠によって形成されたカード挿入部に対し、カードを上方から挿入することにより、カードを正しい位置に保持することができる。
【０００３】
その他のカードホルダ付コンテナとしては、カードホルダの垂直枠の上端の折曲部を容器の側壁外面と垂下部との間に挿入するとともにカードホルダの垂直枠の水平取付基部を容器の係合部内に挿入することで、カードホルダを容器の側壁外面に取付けたものがある（下記の特許文献２）。このカードホルダ付コンテナ（当該文献ではカードホルダー付き容器）においては、カードホルダの左右から容器の側壁外面とカードホルダのカード押え枠との間にカード類を差し込むことにより、カード類を容器の側壁外面に保持させることができる。
【０００４】
【特許文献１】
実公昭６３−１１０７６号公報（第１−２頁、第２図）
【特許文献２】
実公昭６１−４０６６７号公報（第１−２頁、第２図）
【０００５】
【発明が解決しようとする課題】
上記特許文献１に記載されたカードホルダ付コンテナにおいては、カードのほぼ中央を横切るようにカードホルダーの水平枠が配置されるので、カードを見る方向によってはカードに記載された情報が見難い場合がある。また、カードに多くの情報を表示しようとすれば、水平枠に遮られないように、その上下に配置される部分に情報を記載しなければならず、記載内容が解り難くなる可能性がある。さらに、カードの上半分が保持されないので、カードが折れ曲がる等してカードに表示された情報が見えなくなる場合もある。
上記特許文献２に記載されたカードホルダ付コンテナにおいては、容器の側壁とカード押え枠との間にカードを挿し込むが、カードに記載された情報はカード押え枠に設けられた横長の開口からしか見ることができないので、多くの情報をカードに表示することができない。
【０００６】
また、上記のいずれのカードホルダ付コンテナにおいても、カードホルダの厚さ方向の幅が広く、カードホルダを収める側壁も必然的に厚く形成されているので、コンテナを折り畳んでも嵩張ってしまい、利便性に乏しい。
【０００７】
本発明は、このような事情を考慮してなされたもので、カードを見やすく、かつより確実に保持することができるカードホルダ付コンテナを提供することを目的とする。
【０００８】
【課題を解決するための手段】
本発明は、上記課題を解決するための手段として採用する本発明のカードホルダ付コンテナは、側板の外側面に沿わせて矩形のカードを保持するカードホルダを有するカードホルダ付コンテナであって、
前記カードホルダに、前記側板との間で前記カードの下縁の両隅をそれぞれ保持する２つの保持部と、同じく前記側板との間で前記カードの上縁および該上縁の両隅を挟む挟持部と、前記挟持部を前記側板に押し付ける付勢部とを備えることを特徴とする。
【０００９】
本発明のカードホルダ付コンテナにおいては、矩形のカードの下縁の両隅が２つの保持部によってそれぞれ保持される。同時に、カードの上縁および上縁の両隅が挟持部で挟まれ、さらに付勢部によって挟持部が側板に押し付けられることで、側板の外側面に沿ってカードが保持される。
【００１０】
上記のように、本発明のカードホルダ付コンテナでは、カードを保持するにあたり、カードの下縁の両隅、上縁および上縁の両隅のみがカードホルダによって拘束され、その他の部分はなんらの拘束も受けないので、情報を記載したカードの一面を非常に広い範囲にわたって露出させることが可能になる。また、カードの上縁および上縁の両隅が、付勢部に付勢された挟持部によって側板に常時押圧されるので、カードホルダに一旦保持されると、カードがカードホルダ付コンテナから容易には離脱することがない。
【００１１】
【発明の実施の形態】
本発明のカードホルダ付コンテナにおいては、側板に、該側板とカードホルダとの間にカードを下向きに差し込んだり、側板とカードホルダとの間からカードを上向きに抜き出したりするためのガイド部を設けるとよい。このようなガイド部を設けておくと、カードの出し入れが容易に行えるようになるばかりでなく、挟持部と相まってカードホルダからのカードの離脱をより確実に防止することが可能になる。すなわち、カードはガイド部によって出し入れの方向を上下方向に規定されてしまうことで、カードの意図しない離脱は上方向にほぼ限定されることになるが、カードは上縁および上縁の両隅を挟持部によって側板に押圧されるので、カードホルダからのカードの離脱はまず起こらなくなる。
【００１２】
また、本発明のカードホルダ付コンテナにおいては、カードホルダを、２本の縦枠と該２本の縦枠の上端どうしを繋ぐように一体成形された１本の横枠とから構成し、２本の縦枠の下部がそれぞれ上記の保持部をなし、横枠が挟持部をなし、２本の縦枠の中間部が付勢部をなすようにするとよい。カードホルダをこのように構成すると１つの部品で済み、コンテナの構造が簡素になって製造が容易、かつ低コストに行える。また、カードホルダの厚さ方向の幅を狭く形成することが可能になり、これによってカードホルダを収める側板も薄く形成することが可能になるので、折り畳んだ状態でも嵩張りが抑えられ、利便性が増す。
【００１３】
本発明のカードホルダ付コンテナにおいては、横枠に、カードの上縁および該上縁の両隅に接する平面部と、この平面部に連続し、かつ該平面部から上方に向かうにつれて側板から離間する方向に傾斜する斜面部とを形成し、平面部と斜面部との間の稜線を、横枠の中央付近で最も高く、２本の縦枠の上端付近で最も低くなる円弧を描くように形成するとよい。平面部を設けることで、カードの上縁付近の広い範囲に付勢力が作用することになってカードの離脱がさらに起こり難くなる。加えて、平面部と斜面部との間の稜線を上記のごとく円弧を描くように形成することで、カードがカードホルダと側板との間に滑らかに収まる。
【００１４】
カードをカードホルダと側板との間に保持させるために下向きに移動させると、まず、カードの下縁が斜面部に案内されてカードホルダと側板との間に導かれる。カードホルダと側板との間に導かれたカードの下縁は、稜線の頂きの部分すなわち横枠の中央付近に接する。そこからさらにカードを下向きに移動させると、カードを下向きに移動させようとする力が稜線の頂きの部分すなわち横枠の中央付近に集中するので、カードを下向きに移動させる際に強い力を加えなくても、挟持部を構成する横枠が付勢部の発揮する付勢力に抗して側板から離間する方向に押され、横枠と側板との間隔が広がる。そしてこの広がった隙間にカードが下縁から差し込まれる。カードがカードホルダと側板との間に差し込まれると、次はカードに対して平面部との間に摩擦が生じることになるが、平面部と斜面部との間の稜線が円弧を描くように形成されており、カードが差し込まれた当初は平面部とカードとの接触面積がさほど広くはないので、強い摩擦力を受けることがない。したがって、カードがカードホルダと側板との間に滑らかに収まるのである。
【００１５】
【実施例】
本発明のカードホルダ付コンテナの実施例を図１ないし図５に示して詳細に説明する。
本実施例におけるカードホルダ付コンテナ（以下では単に「コンテナ」とする）は、長方形状の底板１と、底板１の長手方向に延在して互いに平行な２つの側縁にそれぞれヒンジ連結されて対をなす２枚の長手側板２と、底板１の短手方向に延在して互いに平行な２つの側縁にそれぞれヒンジ連結されて対をなす同じく２枚の短手側板（図１、図３では一方の短手側板のみ図示）３とから構成されている。底板１、長手側板２および短手側板３の材質はポリエチレンである。このコンテナは、２枚の長手側板２を、上縁を互いに重複させて底板１の上に折り畳み、続いて２枚の短手側板３を先に折り畳んだ長手側板２の上に折り畳むことで、未使用時等にコンテナの専有する容積を小さくすることができるようになっている。なお、長手側板２および短手側板３の材質はポリプロピレンでもよい。
【００１６】
短手側板３の外側面には、短手側板３の上縁、下縁および両側縁をなぞるようにして井桁状に複数の補強リブ１０ａ，１０ｂ，１０ｃが形成されている。短手側板３のほぼ中央には、上縁に寄せて横長の長孔１１が形成されている。この長孔１１は、上縁側にある補強リブ１０ａとともにコンテナの取っ手部分を構成している。
【００１７】
短手側板３の上縁に平行に形成された複数の補強リブ１０ａのうちで一番下側に形成されたもの、短手側板３の下縁に沿って形成された補強リブ１０ｂ、および短手側板３の両側縁にそれぞれ平行に形成された補強リブ１０ｃは、短手側板３の外側面に矩形の凹部３ａを形成している。収容された物品に関する情報を記載したカードＣは、この凹部３ａに、カードホルダ２０によって保持される。凹部３ａを形成する２本の補強リブ１０ｃは、凹部３ａに取り付けられたカードホルダ２０との間にカードＣを下向きに差し込んだり、カードホルダ２０との間からカードＣを上向きに抜き出したりするためのガイド部としての役割を担う。
【００１８】
カードホルダ２０は、図２に示すように、２本の縦枠２１とこれら２本の縦枠２１の上端どうしを繋いで水平に延在する１本の横枠２２とからなる一体成型品で、２本の縦枠２１をそれぞれ短手側板３の補強リブ１０ｃに沿わせるようにして凹部３ａに嵌め込まれ、２本の縦枠２１の下部を短手側板３に固定されている（固定部分の構造については後述する）。縦枠２１は、凹部３ａに嵌め込まれたときに短手側板３の外側面に沿う幅の狭い板状をなし、背面には縦方向に延びる２本の補強リブ２３ａ，２３ｂが形成されている。横枠２２も、凹部３ａに嵌め込まれたときに短手側板３の外側面に沿う幅の狭い板状をなし、背面には横方向に延びる補強リブ２４ａと、縦方向に延びる補強リブ２４ｂとが十字状に形成されている。補強リブ２３ａ，２３ｂと補強リブ２４ａとは、縦枠２１と横枠２２とが繋がる部分において、双方が十字に交わるように形成されている。
【００１９】
各縦枠２１は、長手方向に３つの部位に分かれており、各縦枠２１の下部２１ａが、短手側板３との間でカードＣの下縁の両隅をそれぞれ保持する２つの保持部を構成し、横枠２２が、短手側板３との間でカードＣの上縁および上縁の両隅を挟む挟持部を構成し、各縦枠２１の中間部２１ｂが、挟持部を短手側板３に押し付ける付勢部を構成している。
縦枠２１の下部２１ａは、短手側板３の外側面に向き合う面が平面状をなし、短手側板３との間に僅かな隙間（０．５ミリメートル程度）を空けて配置されており、この隙間にカードＣの下縁の隅を保持する。短手側板３の外側面に向き合う面には、後述する固定部３０に係わる突起２５が形成されている。また、２本の補強リブ２３ａ，２３ｂのうち、内側の補強リブ２３ａには、カードホルダ２０を短手側板３に取り付ける際、滑り留めのために指を掛ける波形の凹凸２６が形成されている。外側の補強リブ２３ｂは、後述する固定部３０との干渉を避けるために縦枠２１の背面からの高さを低められている。
【００２０】
横枠２２には、同じように短手側板３の外側面に向き合う平面部２２ａと、面部２２ａに連続しかつ平面部２２ａから上方に向かうにつれて短手側板３から離間する方向に傾斜する斜面部２２ｂとが形成されている。平面部２２ａと斜面部２２ｂとの間には、横枠２２の中央付近で最も高く、両側の縦枠２１の上端付近で最も低くなる円弧を描くように稜線２２ｃが形成されている。平面部２２ａは、短手側板３との間に隙間を空けずに配置されており、短手側板３との間でカードＣの上縁および上縁の両隅を挟む。
【００２１】
縦枠２１の中間部２１ｂは、短手側板３の外側面に向き合う面を凹ませるように湾曲させ、短手側板３との間にアーチ状の隙間を空けて配置されている。縦枠２１の中間部２１ｂの背面に沿う補強リブ２３ａ，２３ｂは、中間部２１ｂの湾曲に合わせることなく直線的に形成されている。そのため、中間部２１ｂの背面に沿う部分では補強リブ２３ａ，２３ｂの高さが中間部２１ｂの傾斜に合わせて低くなり、中間部２１ｂの頂きの部分では背面と同じ高さになって補強リブ２３ａ，２３ｂが一部分だけ途切れている。このように補強リブ２３ａ，２３ｂの背面からの高さが他の部分よりも低くなっていることで、縦枠２１の中間部２１ｂは縦枠２１の他の部分よりも剛性が低くなっており、ポリエチレンという材質とも相まって相当の弾性を発揮し、横枠２２を短手側板３に押し付けている。
【００２２】
カードホルダ２０は、図４に示すように、各縦枠２１の下部２１ａを、短手側板３に設けられた固定部３０に固定されている。固定部３０は、補強リブ１０ｂと補強リブ１０ｃとが突き合わされた隅の部分に設けられている。固定部３０は、短手側板３の外側面と平行をなす板状部３１と、板状部３１から短手側板３側に折り曲げられるように形成された顎部３２と、板状部３１に隠れるようにして短手側板３に形成された矩形の貫通孔３３とからなる。板状部３１は縦長の長方形状で、一方の長辺を補強リブ１０ｃに、その長辺に隣り合う短辺を補強リブ１０ｂに突き当てたように形成されている。他方の長辺には、顎部３２が、補強リブ１０ｃと平行をなすように形成されている。顎部３２と短手側板３の外側面との間には、縦枠２１の厚みよりも僅かに広い隙間３４が形成されている。
【００２３】
カードホルダ２０を短手側板３に取り付けるには、まず、短手側板３の上方から、各縦枠２１をそれぞれ補強リブ１０ｃに沿わせるようにして下向きに移動させ、縦枠２１の下端を板状部３１と短手側板３の外側面との間に挿入する。固定部３０に挿入されたカードホルダ２０は、縦枠２１を隙間３４に挟まれ、縦枠２１の外側縁を短手側板３の補強リブ１０ｃに接し、縦枠２１の補強リブ２３ａを顎部３２の外側に接するので、この状態を保ちながら、縦枠２１の下端が短手側板３の補強リブ１０ｂに突き当たるまで下向きに移動させる。このとき、縦枠２１に形成した突起２５（図４には不図示）が短手側板３の外側面に擦れて抵抗を生じるので、補強リブ２３ａに形成された波形の凹凸２６に指を掛けて下向きに力を加える。縦枠２１の下端が補強リブ１０ｂに突き当たると、ほぼ同時に突起２５が貫通孔３３に入り込み、縦枠２１を貫通孔３３に係止する。以上で、カードホルダ２０が短手側板３に容易には離脱しない状態で取り付けられる。
【００２４】
上記のようにしてカードホルダ２０を取り付けられたコンテナにカードＣを保持させるには次の手順に従う。まず、カードＣの両側縁を短手側板３の２本の補強リブ１０ｃに沿わせたうえで、カードＣを下向きに移動させ、カードＣの下縁をカードホルダ２０の傾斜面２２ｂと短手側板３の外側面との間に挿入する。カードＣの下縁がカードホルダ２０の稜線２２ｃに接すると僅かに抵抗を生じるが、下縁が短手側板３の補強リブ１０ｂに突き当たるまで構わずそのままカードＣを押し込む。
【００２５】
カードＣを押し込むと、カードＣに加えた力がカードＣに接する稜線２２ｃの頂き部分、すなわち横枠２２の中央付近に集中するので、カードＣにさほど強い力を加えなくても、図５に示すように横枠２２が中間部２１ｂの付勢力に抗して短手側板３から離間する方向に押され、横枠２２と短手側板３との間隔が広がる。そしてこの広がった隙間にカードＣが下縁から差し込まれる。カードＣがカードホルダ２０と短手側板３との間に差し込まれると、次はカードＣに対して平面部２２ａとの間に摩擦が生じることになるが、稜線２２ｃが円弧を描くように形成されており、カードＣが差し込まれた当初は平面部２２ａとカードＣとの接触面積がさほど広くはないので、強い摩擦力を受けることがない。
【００２６】
カードＣの下縁が補強リブ１０ｂに突き当たり、カードＣが凹部３ａ内の所定位置に落ち着くと、矩形のカードＣの下縁の両隅が、縦枠２１の下部２１ａと短手側板３との間にそれぞれ差し込まれてれぞれ保持される。同時に、カードＣの上縁および上縁の両隅が、横枠２２と短手側板３との間に挟まれ、さらに縦枠２１の中間部２１ｂによって横枠２２が短手側板３に押し付けられることにより、短手側板３の外側面に沿ってカードＣが保持される。
【００２７】
上記のように構成されたコンテナにおいては、カードＣを保持するにあたり、カードＣの下縁の両隅、上縁および上縁の両隅のみがカードホルダ２０によって拘束され、その他の部分はなんらの拘束も受けないので、情報を記載したカードＣの一面を非常に広い範囲にわたって露出させることが可能になる。また、カードＣの上縁および上縁の両隅が、縦枠２１の中間部２１ｂに付勢された横枠２２によって短手側板３の外側面に常時押圧されるので、カードホルダ２０に一旦保持されると、カードＣがコンテナから容易には離脱することがない。
【００２８】
また、上記のコンテナにおいては、凹部３ａを形成する２本の補強リブ１０ｃが、カードＣを抜き差しするためのガイド部をなすことにより、カードＣの出し入れが容易に行えるようになるばかりでなく、横枠２２と相まってカードホルダ２０からのカードＣの離脱をより確実に防止することが可能になる。
【００２９】
さらに、上記のコンテナにおいては、カードホルダ２０が１つの部品であることから、コンテナの構造が簡素になって製造が容易、かつ低コストに行える。加えて、カードホルダ２０が２本の縦枠２１と１本の横枠２２とでコの字をなすように形成され、各枠の背面に補強リブが形成されており、カードホルダ２０の厚さ方向の幅を狭くしても十分な剛性が確保されている。これにより、カードホルダ２０を収める側板も薄く形成することが可能になり、折り畳んだ状態でも嵩張りが抑えられるので、コンテナを片づけたり持ち運んだりする際の利便性が格段に向上する。
【００３０】
、上記のコンテナにおいては、横枠２２にカードＣに広く接する平面部２２ａを設けることで、カードＣの上縁付近の広い範囲に付勢力が作用することになってカードＣの離脱がさらに起こり難くなる。加えて、稜線２２ｃが円弧を描くように形成されていることにより、カードＣがカードホルダ２０と短手側板３との間に滑らかに収まる。
【００３１】
【発明の効果】
以上説明したように、本発明のカードホルダ付コンテナによれば、カードを保持するにあたり、カードの下縁の両隅、上縁および上縁の両隅のみがカードホルダによって拘束され、その他の部分はなんらの拘束も受けないので、情報を記載したカードの一面を非常に広い範囲にわたって露出させることが可能になる。これにより、カードをコンテナの外側面に見やすく保持することができる。
また、カードの上縁および上縁の両隅が、付勢部に付勢された挟持部によって側板に常時押圧されるので、カードホルダに一旦保持されると、カードがカードホルダ付コンテナから容易には離脱することがない。これにより、カードをコンテナの外側面により確実に保持することができる。
【図面の簡単な説明】
【図１】本発明のカードホルダ付コンテナの分解斜視図である。
【図２】カードホルダを異なる二方向から見た斜視図である。
【図３】カードホルダをコンテナの本体に取り付けた状態を示す斜視図である。
【図４】カードホルダを固定する固定部の構造、ならびに固定部にカードホルダを取り付けた状態を示す斜視図である。
【図５】カードホルダと短手側板との間にカードの下縁を差し込んだ状態を示す断面図である。
【符号の説明】
１      底板
２      長手側板
３      短手側板
２０    カードホルダ
２１    縦枠
２２    横枠（挟持部）
２１ａ  縦枠の下部（保持部）
２１ｂ  縦枠の中間部（付勢部）
２２ａ  平面部
２２ｂ  斜面部
２２ｃ  稜線
３０    固定部
Ｃ      カード
【図１】
2005047525.tif 000003
【図２】
2005047525.tif 000004
【図３】
2005047525.tif 000005
【図４】
2005047525.tif 000006
【図５】
2005047525.tif 000007